(57)【要約】      （修正有）【課題】エクササイズの際に手のひらのみならず手首を、「まめ」や捻挫などの創傷から保護するとともに、握力自体を向上させ、強い握力を長期間にわたって維持することができるグリップ補助具を提供する。【解決手段】使用者の手首部分を巻き付けて締めるための長尺状の手首ベルト部１０と、当該手首ベルト部１０の端部に設けられた、手首部分を手首ベルト部１０で巻き付けて締める際に当該手首ベルト部１０を通過させるためのリング部２０と、当該手首ベルト部１０に設けられた、当該リング部２０に通過させた手首ベルト部を固定するためのベルト固定部２０と、ゴムで構成されたグリップ部４０と、クロロプレンゴムスポンジで構成された手首クッション部５０とを含むグリップ補助具であって、当該手首ベルト部１０上に、グリップ部４０および手首クッション部５０が順次積層された３層構造を有し、当該３層構造が使用者の手首を巻き付けて締める。【選択図】図１
0003226961.tif 000002
【実用新案登録請求の範囲】
【請求項１】
使用者の手首部分を巻き付けて締めるための長尺状の手首ベルト部（１０）と、
当該手首ベルト部（１０）の端部に設けられた、手首部分を手首ベルト部（１０）で巻き付けて締める際に当該手首ベルト部（１０）を通過させるためのリング部（２０）と、
当該手首ベルト部（１０）に設けられた、当該リング部（２０）に通過させた手首ベルト部を固定するためのベルト固定部（３０）と、
ゴムで構成されたグリップ部（４０）と、
クロロプレンゴムスポンジで構成された手首クッション部（５０）とを含むグリップ補助具であって、
当該手首ベルト部（１０）上に、グリップ部（４０）および手首クッション部（５０）が順次積層された３層構造を有し、当該３層構造が使用者の手首を巻き付けて締めるために使用されることを特徴とするグリップ補助具。  
【請求項２】
前記ベルト固定部（３０）が、面ファスナーであることを特徴とする請求項１に記載のグリップ補助具。
【考案の詳細な説明】
【技術分野】
【０００１】
本考案は、ウェイトトレーニング等のエクササイズに使用されるグリップ補助具に関し、より具体的には、エクササイズ（例：ウェイトトレーニング）の際に手のひらや手首を創傷から保護するとともに、握力を長期間にわたって向上・維持することができるグリップ補助具に関する。
【背景技術】
【０００２】
ウェイトトレーニング（Ｗｅｉｇｈｔ  Ｔｒａｉｎｉｎｇ）は、バーベル、ダンベル、あるいは専用のトレーニングマシンなどを用いて、筋肉に大きな負荷を与えて、筋肉の増量・筋力の向上などを目的とするものである。
【０００３】
ここで、トレーニングを行う者は、バーベルやダンベルなどを使用する際に、炭酸マグネシウム等の粉末状の滑り止めや、パワーグリップや滑り止めグローブとも称されるグリップ補助具を用いて、手からのバーベル等の滑落を防いだり、創傷（たとえば「まめ」、擦過傷、切創、裂創）や捻挫などの各種損傷から手を保護したりしている。このようなグリップ補助具は、たとえば、非特許文献１などに開示されている。
【先行技術文献】
【非特許文献】
【０００４】
【非特許文献１】登録意匠第１６０５８６６号公報
【考案の概要】
【考案が解決しようとする課題】
【０００５】
しかしながら、非特許文献１に開示されたグリップ補助具を含め、従来のグリップ補助具は、エクササイズ（例：ウェイトトレーニング）において、ダンベルなどの器具を使用するにあたって、手のひらの保護に寄与するものの、手首の保護効果には改善の余地があった。
【０００６】
そこで、本考案者は、グリップ補助具の構造を鋭意検討した結果、グリップ部をゴムで構成するとともに手首クッション部を設け、当該手首クッション部をクロロプレンゴムスポンジで構成し、所定の３層構造を採用することで、従来の課題を解決できることを見出した。
【０００７】
すなわち、本考案は、エクササイズ（特にウェイトトレーニング）の際に手のひらのみならず手首を、創傷（たとえば「まめ」、擦過傷、切創、裂創）や捻挫などの各種損傷から保護するとともに、握力自体を向上させ、強い握力を長期間にわたって維持することができるグリップ補助具を提供することを目的とするものである。
【課題を解決するための手段】
【０００８】
本考案に係るグリップ補助具は、使用者の手首部分を巻き付けて締めるための長尺状の手首ベルト部（１０）と、
当該手首ベルト部（１０）の端部に設けられた、手首部分を手首ベルト部（１０）で巻き付けて締める際に当該手首ベルト部（１０）を通過させるためのリング部（２０）と、
当該手首ベルト部（１０）に設けられた、当該リング部（２０）に通過させた手首ベルト部（１０）を固定するためのベルト固定部（３０）と、
ゴムで構成されたグリップ部（４０）と、
クロロプレンゴムスポンジで構成された手首クッション部（５０）とを含むグリップ補助具であって、
当該手首ベルト部（１０）上に、グリップ部（４０）および手首クッション部（５０）が順次積層された３層構造を有し、当該３層構造が使用者の手首を巻き付けて締めるために使用されることを特徴とする。
【図面の簡単な説明】
【０００９】
【図１】図１は、本考案に係るグリップ補助具の一態様を示すための図（正面図）である。
【図２】図２は、本考案に係るグリップ補助具の一態様を示すための図（裏面図）である。
【図３】図３は、本考案に係るグリップ補助具の３層構造を説明するための図（ＡＢ断面図）である。
【考案を実施するための形態】
【００１０】
以下、本考案に係るグリップ補助具について、適宜図面を参照しながら説明する。
【００１１】
図１〜２は、本考案に係るグリップ補助具の一態様を示す。本考案に係るグリップ補助具は、図１〜２に示されるように、手首ベルト部１０、リング部２０、ベルト固定部３０、グリップ部４０および手首クッション部５０が必須構成部材として備えており、必要に応じてその他の部材を有していてもよい。図１は、本考案に係るグリップ補助具の正面図であり、使用者の手の平があてがわれる側である。一方、図２は、本考案に係るグリップ補助具の裏面図である。
【００１２】
ここで、付番５０で示される手首クッション部に使用者の手首を当て、図中「指先側」に指先が向くように（一方、手首は図中の「手首側」に位置するように）、手の平をグリップ部５０の載せ、手首ベルト部１０をリング部２０に通しながら、使用者の手首を巻き付けた後、ベルト固定部で固定して使用される。
【００１３】
手首ベルト部は、付番１０で示されるように、長尺状の形状（帯状形状）を有しており、使用時において使用者の手首部分を巻き付けて締めるために用いられるものである。手首ベルト部１０の材質は特に限定されないが、通常ナイロンやケブラー繊維など強靭性に優れた合成繊維などから構成されていることが好ましい。また、手首ベルト部１０の長さや厚さは、使用者の性別や材質の強度などを考慮して適宜選択される。
【００１４】
図１〜２の付番２０は、リング部を示す。当該リング部２０は、図１〜２に示されるように、当該手首ベルト部１０の端部に少なくとも１つ設けられている。また、当該リング部２０は、使用者の手首部分を手首ベルト部１０で巻き付けて締める際に当該手首ベルト部１０を通過させるために使用されるものである。また、リング部の形状としては、通常、楕円形、円形、四角形状などが挙げられるが特に限定されない。また、リング部の材質は、一定の強度を確保する観点からは、鉄製（たとえば、ステンレス製）など金属製であることが好ましいが、特に限定されるものではない。
【００１５】
図１の付番３０はベルト固定部を示す。当該ベルト固定部は、リング部２０に通過させ、使用者の手首に巻き付けられた手首ベルト部１０を固定するために使用される。
【００１６】
ここで、ベルト固定部としては、たとえば、１対の面ファスナーが例示される。面ファスナーとしては、たとえば、マジックテープ（登録商標）として市販されている。
【００１７】
図１の付番３０に示されるように、たとえば、面ファスナーのＡ面（オス面）又はＢ面（メス面）の何れかが、手首ベルト部１０の端部に設けられており、手首ベルト部に対応する面（すなわち、それぞれＢ面又はＡ面）が手首ベルト部１０上に設けられている。このように構成することで、使用者が、手首に手首ベルト部を巻き付けて、当該手首ベルト部をリング部に通し、手首ベルト部の端部に設けられた面ファスナーを、手首ベルト部の別の部分に設けられた、対応する面ファスナーに貼着することで、使用者の手首に本考案に係るグリップ補助具を容易に装着することができる。
【００１８】
また、ベルト固定部としては、たとえば、手首ベルト部に任意に設けられたベルト孔とリング部に設けられたプロング（Ｐｒｏｎｇ）、あるいは手首ベルト部に任意に設けられたフック孔とフックであってもよい。
【００１９】
図１〜２の付番４０に示されるように、本考案に係るグリップ補助具は、グリップ部を含む。当該グリップ部１０は、ゴムで構成されている。そのため、使用者が使用時において、強力なグリップ力を発揮するとともに、滑り止めとしての効果を発揮することができる。
【００２０】
この構成材料であるゴムとしては、特に限定されないが、たとえば、天然ゴム、クロロプレンゴム、ニトリルゴム、シリコーンゴム、ウレタンゴム、アクリルゴム、イソプレンゴム、スチレンゴム、ブタジエンゴム、ブチルゴム、エチレン・プロピレンゴム、エチレン・プロピレン・ジエンゴム、エチレン・酢ビゴム、クロロプレンゴム、塩素化ポリエチレンゴム、エピクロルヒドリンゴムなどを単独または複数種使用することができる。これらの構成材料は、コストやグリップ力などの各種効果を考慮して適宜選択される。
【００２１】
なお、グリップ部の形状は特に限定されないが、少なくとも、使用者が本考案に係るグリップ補助具を装着した場合に、使用者の手の平よりも広い面積を有することで、使用者の手の平、指を損傷から優位に保護できるようになっていることが好ましい。
【００２２】
また、図１〜２の付番５０に示されるように、クロロプレンゴムスポンジで構成された手首クッション部を含む。ここで、必要に応じて、クロロプレンゴムスポンを主成分として、他のゴム成分が含まれていてもよい。
【００２３】
また、図３は、図１のＡＢ断面図を示す。図２に示されるように、本考案に係るグリップ補助具においては、手首ベルト部１０上に、グリップ部４０および手首クッション部５０が順次積層された３層構造を有していることを特徴としている。使用者は、使用時において、３層構造が使用者の手首に当てがわれながら、手首ベルト部１０により巻き付けられ、ベルト固定部３０により締めることになる。このような構成により、使用者の手首部分を強力に保護することができるとともに、グリップ力も向上させることができる。
【産業上の利用可能性】
【００２４】
本考案によれば、エクササイズ（例：ウェイトトレーニング）の際に手のひらのみならず手首を、創傷（たとえば「まめ」、擦過傷、切創、裂創）や捻挫などの各種損傷から保護するとともに、握力を維持・向上することができるグリップ補助具を提供することができる。そのため、本考案に係るグリップ補助具は、トレーニング産業などにおいて好適に利用される。
【符号の説明】
【００２５】
１：本考案に係るグリップ補助具
２：本考案に係るグリップ補助具の断面図（ＡＢ断面図）
１０：手首ベルト部
２０：リング部
３０：ベルト固定部
４０：グリップ部
５０：手首クッション部
【図１】
0003226961.tif 000003
【図２】
0003226961.tif 000004
【図３】
0003226961.tif 000005